(57)【要約】    【課題】  閉位置の引戸本体が壁面に対して平行で開口部に沿う姿勢を維持でき、隙間を生じることのない引戸装置を提供する。    【解決手段】開口部を開閉する引戸本体、及びこの引戸本体を吊下げ、開口部に隣接した隣接壁部に対面する開位置と開口部を閉止する閉位置との間を水平移動可能に支持するスライド支持手段を有し、前記スライド支持手段は、引戸本体の戸先、戸尻の上部を吊下げて、前記水平移動を支持する戸先、戸尻の吊下げ部と、この戸先、戸尻の吊下げ部を各々誘導する戸先、戸尻の誘導部とを具え、前記双方の誘導部は、隣接壁部に向き合う引戸本体の隣接壁部に平行な水平移動を誘導する平行の誘導部と、閉位置寄りの引戸本体の、隣接壁部と平行な水平移動及び開口部の出入方向の水平移動が合成された斜め方向の水平移動を誘導する斜めの誘導部と、この斜めの誘導部に連続し、閉位置に至る端部における引戸本体の開口部の幅方向と平行な水平移動を誘導する直進の誘導部とからなることを特徴とする。【選択図】  図５
2006125147.tif 000002
【特許請求の範囲】
【請求項１】
開口部を開閉する引戸本体、及びこの引戸本体を吊下げ、開口部に隣接した隣接壁部に対面する開位置と開口部を閉止する閉位置との間を水平移動可能に支持するスライド支持手段を有し、
前記スライド支持手段は、引戸本体の戸先、戸尻の上部を吊下げて、前記水平移動を支持する戸先、戸尻の吊下げ部と、この戸先、戸尻の吊下げ部を各々誘導する戸先、戸尻の誘導部とを具え、
前記双方の誘導部は、隣接壁部に向き合う引戸本体の隣接壁部に平行な水平移動を誘導する平行の誘導部と、閉位置寄りの引戸本体の、隣接壁部と平行な水平移動及び開口部の出入方向の水平移動が合成された斜め方向の水平移動を誘導する斜めの誘導部と、この斜めの誘導部に連続し、閉位置に至る端部における引戸本体の開口部の幅方向と平行な水平移動を誘導する直進の誘導部とからなることを特徴とする引戸装置。
【請求項２】
前記スライド支持手段は、開口部及び隣接壁部の上部で水平に連続するガイドレールと、このガイドレール上を走行する移動部とを具え、
前記吊下げ部は、移動部から垂下された支持軸を有し、前記誘導部は、ガイドレールに形成されるとともに前記支持軸が挿入されるスリットからなり、
前記スリットは、前記平行の誘導部を形成する平行のスリットと、斜めの誘導部を形成する斜めのスリットと、直進の誘導部を形成する直進のスリットとが連続して形成されたことを特徴とする請求項１記載の引戸装置。
【請求項３】
前記ガイドレールは、下方に開口する溝状のレール本体と、このレール本体の下部に装着されるガイド板とからなり、
前記移動部は、レール本体に形成された走路の上を走行し、
前記スリットは、ガイド板に形成されたことを特徴とする請求項２記載の引戸装置。
【請求項４】
前記移動部は、前記レール本体の走路上をガイドレールの長手方向に走行する第１の移動部と、この第１の移動部上を前記長手方向に直行して移動する第２の移動部とからなり、
前記支持軸は、第２の移動部から垂下して形成されたことを特徴とする請求項３記載の引戸装置。
【発明の詳細な説明】
【技術分野】
【０００１】
本発明は、引戸本体とスライド支持手段を構成する部材の熱膨張の差を吸収し、閉位置の引戸本体の位置ズレを防止できる引戸装置に関する。
【背景技術】
【０００２】
住宅など建物において、吊下げて支持された引戸本体が、開口部を閉止する閉位置と開口部に隣接する隣接壁部との間で平行移動可能に構成された引戸装置は、蝶番を用いてドアを回転支持したドア装置に比べ、開閉動作に必要なスペースが小さいことから、巾の狭い廊下、階段踊り場などに面した開口部で多く使用されている。
【０００３】
一般の引戸装置において、開位置の引戸本体は、隣接壁部と向き合うため壁表面から突出して配される。一方閉位置の引戸本体は、図１１に示すように、引戸本体ａの戸先、戸尻上部の吊下げ支持部ｂ１、ｂ２を各々吊下げて誘導する一対のガイドｅ、ｅの端部に、開口部の出入方向に傾いた傾斜部ｅを設け、引戸本体ａを開口部の出入方向にもスライドさせることにより壁面からの突出を減じて、見栄えを高めることが提案されている（例えば、特許文献１参照）。
【０００４】
【特許文献１】特開平３−１７３７０号公報
【発明の開示】
【発明が解決しようとする課題】
【０００５】
しかしながら、ガイドｄを構成するガイド部材は、例えばＡＢＳ樹脂などプラスチックで成形し、他方引戸本体ａはフラッシュパネル構造、框組構造など木質材料を用いるため、双方の熱膨張率が異なる。従って季節、空調などの温度変化により、引戸本体ａの支持部ｂ１、ｂ２間の間隔ｄ１の増減と、ガイドｅ、ｅ間の間隔ｄ２の増減の間で差を生じ、図１１に示すように閉位置の引戸本体ａが開口部に対し角度αで戸尻側が突出し、開口部との間に隙間を生じ、外観を損ねるという問題がある。
【０００６】
本発明は、引戸本体を誘導する戸先、戸尻の誘導部に、閉位置に至る端部において引戸本体の開口部の幅方向と平行な水平移動を誘導する直進の誘導部を設けることを基本とし、閉位置の引戸本体が壁面に対して平行で開口部に沿う姿勢を維持でき、隙間を生じることのない引戸装置の提供を課題としている。
【課題を解決するための手段】
【０００７】
前記目的を達成するために、請求項１に係る発明は、開口部を開閉する引戸本体、及びこの引戸本体を吊下げ、開口部に隣接した隣接壁部に対面する開位置と開口部を閉止する閉位置との間を水平移動可能に支持するスライド支持手段を有し、前記スライド支持手段は、引戸本体の戸先、戸尻の上部を吊下げて、前記水平移動を支持する戸先、戸尻の吊下げ部と、この戸先、戸尻の吊下げ部を各々誘導する戸先、戸尻の誘導部とを具え、前記双方の誘導部は、隣接壁部に向き合う引戸本体の隣接壁部に平行な水平移動を誘導する平行の誘導部と、閉位置寄りの引戸本体の、隣接壁部と平行な水平移動及び開口部の出入方向の水平移動が合成された斜め方向の水平移動を誘導する斜めの誘導部と、この斜めの誘導部に連続し、閉位置に至る端部における引戸本体の開口部の幅方向と平行な水平移動を誘導する直進の誘導部とからなることを特徴とする。
【０００８】
また請求項２に係る発明において、前記スライド支持手段は、開口部及び隣接壁部の上部で水平に連続するガイドレールと、このガイドレール上を走行する移動部とを具え、前記吊下げ部は、移動部から垂下された支持軸を有し、前記誘導部は、ガイドレールに形成されるとともに前記支持軸が挿入されるスリットからなり、前記スリットは、前記平行の誘導部を形成する平行のスリットと、斜めの誘導部を形成する斜めのスリットと、直進の誘導部を形成する直進のスリットとが連続して形成されたことを特徴とする。
【０００９】
請求項３に係る発明では、前記ガイドレールは、下方に開口する溝状のレール本体と、このレール本体の下部に装着されるガイド板とからなり、前記移動部は、レール本体に形成された走路の上を走行するとともに前記スリットは、ガイド板に形成され、また請求項４に係る発明においては、前記移動部は、前記レール本体の走路上をガイドレールの長手方向に走行する第１の移動部と、この第１の移動部上を前記長手方向に直行して移動する第２の移動部とからなり、前記支持軸は、第２の移動部から垂下して形成されたことを特徴とする。
【発明の効果】
【００１０】
請求項１に係る発明では、引戸本体は、閉位置に至る端部において、戸先、戸尻の吊下げ部が開口部の幅方向と平行な水平移動を誘導する直進の誘導部により誘導されるため、引戸本体、スライド支持手段の構成部材などが、温度変化により伸縮し、各々の材質の熱膨張率の違いが原因となり、戸先、戸尻の吊下げ部と、誘導部との間に位置ズレが生じても、この位置ズレは、直進の誘導部の中で吸収されるため、閉位置における引戸本体は、壁面に対して平行で開口部に沿う姿勢が維持され、その結果引戸本体と開口部縁部との間に隙間を生じることがない。
【００１１】
請求項２に係る発明のように構成すると、吊下げ部を構成する支持軸が、誘導部を構成するスリット内の挿入され、かつ引戸本体の戸先、戸尻上部を支持誘導するため、引戸本体は開位置と閉位置との間をスムースに水平移動でき、また請求項３に係る発明では、移動部は、溝状のレール本体の走路の上を走行するため、引戸本体を安定して支持できるとともに、スリットはガイド板に形成されるため、各種ガイド板を用いることにより引戸本体の幅寸法の違いなどに応じた誘導部を簡単に形成できる。
【００１２】
また請求項４に係る発明のように構成すると、支持軸はレール本体の走路上を走行する第１の移動部上を前記走行方向と直行して移動する第２の移動部に垂下して形成されるため、挿入されたスリットに沿って滑らかに誘導され、その結果引戸本体はスムースに水平移動しうる。
【発明を実施するための最良の形態】
【００１３】
以下、本発明の実施の一形態を、図示例とともに説明する。図１に示すように、引戸装置１は、開口部２を開閉する引戸本体３、及びこの引戸本体３を吊下げて、隣接壁部４に対面する開位置と開口部２を閉止する閉位置との間を水平移動可能に支持するスライド支持手段５を有する。またこのスライド支持手段５は、戸先、戸尻の吊下げ部６Ｆ、６Ｒ及び戸先、戸尻の誘導部７Ｆ、７Ｒを具え、さらにこの戸先、戸尻の誘導部７Ｆ、７Ｒは、平行の誘導部７Ａと斜めの誘導部７Ｂと直進の誘導部７Ｃとからなる。
【００１４】
前記開口部２は、図１、２に示すように、人の出入、採光、通風などのため、住宅その他建物の居室と廊下、又は隣接する居室間等に立設された間仕切壁、又は外壁等の壁Ｗに形成された空所であり、この開口部２の戸先側縁部には、縦長の戸当り２０を設ける。本形態の開口部２は、その高さが例えば１８００〜２７００ｍｍ程度、幅は例えば７００〜１６００ｍｍ程度に形成される。
【００１５】
前記隣接壁部４は、前記壁Ｗの中で、前記開口部２に隣接するとともに開位置の引戸本体３と向き合う部分により構成され、壁主部４Ａと、該壁主部４Ａの開口部２側に連続形成される縁壁部４Ｂとからなる。
【００１６】
前記壁主部４Ａは、図６、７に示すように、下地桟２１の両側に内装下地板２２を固着し、その上に壁クロス、壁紙、塗り壁等の仕上層（図示せず）を積層している。また本形態では、前記壁主部４Ａとこれに続く壁Ｗとは、同じ厚さで形成し、しかも前記仕上層は連続して形成されるため、見栄えが良いとともに設計施工を合理化できる。更に壁主部４Ａとこれに続く壁Ｗとを下地を含め一体構造として構成することもできる。
【００１７】
前記縁壁部４Ｂは芯板２３と、該芯板２３の引戸本体３に対面する側に配した傾斜部材２４と、反対側の内装下地板２５とからなり、前記傾斜部材２４は、引戸本体３に向き合う表面が開口部２に近い程後退した傾斜部２４Ａを有する。芯板２３と、傾斜部材２４と、内装下地板２５とを予め一体化した縁壁パネルを用い、これを壁主部４Ａの開口部２側に固着して縁壁部４Ｂを形成することができる。さらには壁主部４Ａと縁壁部４Ｂとを予め一体化した隣接壁部パネルを用いるなど、各種変形が可能である。
【００１８】
前記引戸本体３は、本形態では、図２、８に示すように、開口部２と略同大の矩形板状をなし、戸先、戸尻の上部に取付凹部３６、３６を形成する。また引戸本体３は、例えば矩形状で木製の周囲枠と、この周囲枠の内側に架け渡された縦又は横の補強桟とからなるフレームの両面に化粧合板、突き板合板など化粧板を貼着して形成された木製のフラッシュ戸、或いは周囲を框材で囲んだ内側に鏡板を取付けた框戸などによって構成される。
【００１９】
前記スライド支持手段５は、本形態では、引戸本体３の上部を支持する上支持手段５Ｕと、引戸本体３の戸尻下部を支持する下支持手段５Ｄとからなり、さらに本形態の上支持手段５Ｕは、ガイドレール８とこのガイドレール８内を移動する移動部９とを有する。
【００２０】
前記ガイドレール８は、図３、４に示すように、下方に開口する溝状のレール本体１２と、このレール本体１２の下部に装着されるガイド板１３とからなり、水平な筒状をなす。前記レール本体１２は、両フランジの内面下部に内向きにのびる走路１４、１４を並設し、更に一方の走路１４の下部に取付片２６を垂下する。またこの取付片２６と反対側のフランジには、その下端が内側に折れ曲がった係止片２７が形成される。
【００２１】
前記ガイド板１３は、横長の長板状をなし、図５、７に示すように、引戸本体３の幅寸法よりも少し短い間隔で、前記ガイドレール８の長手方向に縦に並ぶ２個のスリット１１、１１を具える。そして各スリット１１は、前記隣接壁部４と平行にのびる平行のスリット１１Ａと、この平行のスリット１１Ａに前記戸当り２０側で連続するとともに、戸当り２０側が開口部２に近接する側へ斜めにのびる斜めのスリット１１Ｂと、さらにこの斜めのスリット１１Ｂに戸当り２０側で連続するとともに、開口部の幅方向（前記隣接壁部４と平行な方向）に向いた小長さの直進のスリット１１Ｃとを含み形成される。これら双方のスリット１１、１１は、隣接壁部４の方向（開口部の幅方向）に沿って配置し、従って双方の直進のスリット１１Ｃ、１１Ｃ同士及び平行のスリット１１Ａ、１１Ａ同士は、隣接壁部４の方向に平行な仮想線上に並んで形成される。なお本形態では図５に示すように、斜めのスリット１１Ｂは湾曲形状をなす。
【００２２】
また、ガイド板１３は、前記レール本体１２の取付片２６と向合う側端部に取付溝２８を設けるとともに他の端部に外を向く係止溝２９が形成される。そして、この係止溝２９に前記レール本体１２の係止片２７を嵌合係止するとともに取付溝２８に前記取付片２６を圧入嵌合し、これによりガイド板１３とレール本体１２とが着脱可能に一体化され、ガイドレール８が構成される。このように、スリット１１を形成したガイド板１３を用いてガイドレール８を構成すると、各種寸法、形状のスリット１１を設けた複数のガイド板を用いることにより、幅寸法の違う引戸本体３を支持することができる。
【００２３】
なお、前記ガイドレール８は、図７に示すように、例えばＡＢＳ樹脂、ポリプロピレン、不飽和ポリエステル樹脂などのプラスチックで押出し成形され、開口部２から隣接壁部４に及ぶ長さで切断され、レール本体１２の上部に形成された固着片３０を壁Ｗに固着することにより、開口部２及び隣接壁部４の上部に水平に取付けられる。また、意匠性を高めるため、ガイドレール８の前面及び上面は、断面横Ｌ字状の化粧木材等からなる飾り材３１により覆われる。
【００２４】
前記移動部９は、第１の移動部９Ａと、第２の移動部９Ｂとからなる。第１の移動部９Ａは、移動台３２とこの移動台３２の両側に各々２個設けられた第１の車輪３３Ａとを具え、また移動台３２の中央には、ガイドレール８の長手方向に直行する長孔３４が形成される。
【００２５】
前記第２の移動部９Ｂは、計４個の第２の車輪３３Ｂと、垂下されその下端に取付プレート３５を有する支持軸１０とを具える。この第２の移動部９Ｂは、支持軸１０が移動台３２の長孔３４を挿通した状態で第１の移動部９Ａ上に配され、第２の車輪３３Ｂが移動台３２上を転動することにより、前記長孔３４に沿い前記長手方向に直行して移動できる。
【００２６】
前記移動部９は、ガイドレール８内部に配され、第１の車輪３３Ａが前記レール本体１２の走路１４の上を走行することにより、ガイドレール８内をその長手方向に各々移動する。さらにガイドレール８内には２個の移動部９が配され、各々の第２の移動部９Ｂ、９Ｂの支持軸１０、１０が、ガイドレール８の一対のスリット１１、１１に各々挿通し、その結果各移動部９は、これに案内されてガイドレール８内を移動できる。このように、移動部９は溝状をなすレール本体１２の走路１４上を走行するため、引戸本体３を安定して支持でき、しかも支持軸１０は、レール本体１２をガイドレール８の長手方向に走行する第１の移動部９Ａの上を移動する第２の移動部９Ｂに形成されて、前記長手方向およびこの直行方向に対し自在に移動できるため、スリット１１内をスムースに誘導される。
【００２７】
そして前記一対の支持軸１０、１０の取付プレート３５、３５は、前記引戸本体３の戸先、戸尻に形成された取付凹部３６、３６に各々嵌合固着され、その結果引戸本体３は、その戸先端部、及び戸尻の端部が移動部９、９に吊下がる状態で支持される。なお一対の支持軸１０、１０及び取付プレート３５、３５により、前記戸先、戸尻の吊下げ部６Ｆ、６Ｒが形成される。
【００２８】
これにより、前記スライド支持手段５に支持された引戸本体３は、隣接壁部４に対面する開位置から、戸先、戸尻の吊下げ部６Ｆ、６Ｒが前記平行のスリット１１Ａに誘導されて、該開位置から隣接壁部４に沿って水平移動するとともに、閉位置寄りにおいて、前記斜めのスリット１１Ｂに誘導されて、隣接壁部４に平行な移動方向と開口部の出入方向の合成された斜め方向に水平移動し、さらに、前記直進のスリット１１Ｃに誘導されて、開口部２の幅方向と平行に水平移動することにより開口部２を塞ぐ閉位置に至る。このように引戸本体３は、逆方向の水平移動も同様に支持され、開位置と閉位置との間を往復し、隣接壁部４に平行を維持しつつスムースに平行移動しうる。
【００２９】
なお前記平行、斜め、直進のスリット１１Ａ、１１Ｂ、１１Ｃにより、各々平行、斜め、直進の誘導部７Ａ、７Ｂ、７Ｃが形成され、また平行、斜め、直進の誘導部７Ａ、７Ｂ、７Ｃにより誘導部７が構成される。
【００３０】
前記の如く、閉位置の引戸本体３は、戸先、戸尻の吊下げ部６Ｆ、６Ｒが開口部２の幅方向に平行な水平移動を誘導する小長さの直進の誘導部７Ｃに支持される。従って、例えば木製の引戸本体３、樹脂製のガイドレールなど材質の相違から、季節、空調など温度変化により戸先、戸尻の吊下げ部６Ｆ、６Ｒの間隔と、前記戸先、戸尻の誘導部７Ｆ、７Ｒの間隔に差が生じても、この位置ズレは直進の誘導部７Ｃの長さの範囲内で吸収される。その結果閉位置の引戸本体３は、開口部２の幅方向に平行に沿うため、開口縁部との隙間を生じることなく、見栄えも良好となる。
【００３１】
なお本明細書における閉位置は、戸先、戸尻の吊下げ部６Ｆ、６Ｒが直進の誘導部７Ｃに支持された引戸本体３の戸先が前記戸当り２０に当接して、開口部を塞ぐ位置であり、図７に、開位置、閉位置における引戸本体３を各々３Ａ、３Ｂで示す。
【００３２】
前記吊下げ部６が斜めの誘導部７Ｂに誘導されて平行移動するとき、図７に示すように、引戸本体３は、矢印Ｘで示した前記斜めのスリット１１Ｂの方向に小さく斜めに平行移動する（図１０の引戸本体３Ｃがその時の状態を示す）。しかし、前記隣接壁部４は、傾斜部２４Ａを設けているため、前記引戸本体３は、その戸尻が隣接壁部４と衝突することがなく、傾斜部２４Ａの前方に形成された空間Ｓを移動し、スムースな開閉動作を可能とする。さらに、斜めのスリット１１Ｂの角度を緩やかに形成することにより引戸本体３の開閉の動線が滑らかとなるため、引戸本体３を開閉する力を減じるとともに引戸本体３の横揺れを防止して騒音、振動発生を抑制しうる。
【００３３】
前記下支持手段５Ｄは、図１０に示すように、下レール３７と接続体３８とからなり、引戸本体３の戸尻下部を支持する。前記下レール３７は、基板３７ａと、該基板３７ａの略中央から前方に水平に伸びるウエブ３７ｂと、該ウエブ３７ｂの前端で上下に伸びる前板３７ｃとが一体に形成され、断面略Ｈ字状をなし、幅木３９に一体に取付けられる。また下レール３７は、隣接壁部４の傾斜部２４Ａに沿い、前記ガイドレール８の斜めのスリット１１Ｂに対応した下レール傾斜部４０、及びこの下レール傾斜部４０に開口部２側で連続する、直進のスリット１１Ｃに対応した下レール直進部４２を有する。
【００３４】
前記幅木３９は、図１、８に示すように、前記隣接壁部４の下部に形成されるとともに壁Ｗ下部へ延び、これらは連続して形成される。また幅木３９には、前記縁壁部４Ｂの傾斜部２４Ａに沿い、開口部２に近い程その表面が後退する幅木傾斜部４１が形成される。本形態では、前記下レール３７は、前板３７ｃ上端を幅木３９に嵌合することにより、幅木３９と一体化し、しかも基板３７ａを隣接壁部４の下地部に固着することにより、下レール３７、幅木３９は、隣接壁部４の下部に取付けられる。
【００３５】
前記接続体３８は、図１０に示すように、アングル状の基部３８ａと、該基部３８ａから隣接壁部４に向けて水平に延びる板状の腕３８ｂと、該腕３８ｂの先端に設けられたローラ３８ｃとからなる。この接続体３８は、基部３８ａを引戸本体３の戸尻下部に固着するとともに、ローラ３８ｃを前記下レール３７に転動可能に係止する。これにより、水平移動する引戸本体３の戸尻下部は、接続体３８を介して下レール３７に案内されるため、引戸本体３の厚さ方向の振れが防止できる。しかも引戸本体３が閉位置に至る直前及び閉位置から開き始めた直後に、引戸本体３が小さく斜め方向に平行移動する際、下レール傾斜部４０が引戸本体３の戸尻下部を、前記移動方向に沿って支持するため、引戸本体３をスムースに開閉することができる。さらに、下レール３７は幅木３９にと一体に構成しているため、外観が優れる。
【図面の簡単な説明】
【００３６】
【図１】本発明の一実施の形態を例示する斜視図である。
【図２】その斜視図である。
【図３】凹部を説明する、破断拡大斜視図である。
【図４】ガイドレールの断面図である。
【図５】ガイドレール及びこれに誘導される引戸本体を示す平面図である。
【図６】図１のＡ−Ａ断面図である。
【図７】図１のＢ−Ｂ断面図である。
【図８】図１のＣ−Ｃ断面図である。
【図９】図１のＤ−Ｄ断面図である。
【図１０】下レールを説明する要部斜視図である。
【図１１】従来例を説明する略図である。
【符号の説明】
【００３７】
１      引戸装置
２      開口部
３      引戸本体
４      隣接壁部
５      スライド支持手段
６      吊下げ部
７      誘導部
７Ａ    平行の誘導部
７Ｂ    斜めの誘導部
７Ｃ    直進の誘導部
８      ガイドレール
９      移動部
９Ａ    第１の移動部
９Ｂ    第２の移動部
１０      支持軸
１１      スリット
１１Ａ    平行のスリット
１１Ｂ    斜めのスリット
１１Ｃ    直進のスリット
１２      レール本体
１３      ガイド板
１４      走路
【図１】
2006125147.tif 000003
【図２】
2006125147.tif 000004
【図３】
2006125147.tif 000005
【図４】
2006125147.tif 000006
【図５】
2006125147.tif 000007
【図６】
2006125147.tif 000008
【図７】
2006125147.tif 000009
【図８】
2006125147.tif 000010
【図９】
2006125147.tif 000011
【図１０】
2006125147.tif 000012
【図１１】
2006125147.tif 000013